(57)【要約】【課題】各種の音源からのオーディオ信号を入力することができ、さらに前記オーディオ信号を無線方式によって遠端に伝送する多種音源無線伝送システムを提供する。【解決手段】多種音源無線伝送システムであり、ＵＳＢケーブル２１によってオーディオ信号をノートパソコン３から出力させた後、伝送モジュール１１からオーディオ信号を無線伝送方式（ＲＦ技術、或いはＢｌｕｅｔｏｏｔｈ技術）によって遠端の受信モジュール４１が設けられている電子製品に伝送するものであり、本発明はその他にオーディオケーブル２２を外接することができ、各種の電子製品（ＣＤプレーヤー、ＭＰ３プレーヤー、ＴＶ、チューナー、ＤＶＤプレーヤー、ＶＣＤプレーヤー、ステレオ、各種コンピュータ等）のオーディオ信号を本発明のシステムに入力し、本発明のシステムによってオーディオを無線方式によって遠端に伝送することができるものである。【選択図】  図９
2006013906.tif 000002
【特許請求の範囲】
【請求項１】
多種音源無線伝送システムであり、
ＵＳＢケーブルによってオーディオ信号をノートパソコンから入力するか、或いは、オーディオケーブルを外接して各種の電子製品からのオーディオ信号を入力することができ、
さらに入力されたオーディオ信号を直接伝送モジュールから無線伝送方式によって遠端の受信モジュールが設けられた電子製品に伝送することによって、オーディオ信号を無線方式によって遠端に伝送する目的を達成することを特徴とする多種音源無線伝送システム。
【請求項２】
多種音源無線伝送システムであり、
ＵＳＢコネクタを有しており、直接ノートパソコンに接続することができ、        
さらにオーディオ信号を直接伝送モジュールから無線伝送方式によって遠端の受信モジュールが設けられた電子製品に伝送することによって、オーディオ信号を無線方式によって遠端に伝送する目的を達成することを特徴とする多種音源無線伝送システム。
【請求項３】
多種音源無線伝送システムであり、
ＵＳＢケーブルによってオーディオ信号をノートパソコンから入力し、
さらにオーディオ信号を直接伝送モジュールから無線伝送方式によって遠端の受信モジュールが設けられた電子製品に伝送することによって、オーディオ信号を無線方式によって遠端に伝送する目的を達成することを特徴とする多種音源無線伝送システム。
【請求項４】
前記オーディオケーブルによって接続される電子製品は、ＣＤプレーヤー、ＭＰ３プレーヤー、ＴＶ、チューナー、ＤＶＤプレーヤー、ＶＣＤプレーヤー、ステレオ、各種コンピュータ等の製品であることを特徴とする請求項１に記載の多種音源無線伝送システム。
【請求項５】
前記無線伝送方式は、ＲＦ技術、或いはＢｌｕｅｔｏｏｔｈ技術等の伝送技術であり、
受信モジュールが設けられている電子製品はオーバーヘッドタイプヘッドホンにすることができ、
前記受信モジュールは腰装着式に設計することができ、使用者は腰に装着し、インナータイプヘッドホンによってサウンドを聞くことができ、
前記受信モジュールはＭＰ３プレーヤー内に設置することができ、使用者は首に掛け、インナータイプヘッドホンによってサウンドを聞くことができ、
前記多種音源無線伝送システムは、電池、或いは外接電源によって電力を供給することができる
ことを特徴とする請求項１または請求項２または請求項３の多種音源無線伝送システム。
【発明の詳細な説明】
【技術分野】
【０００１】
本発明は、多種音源無線伝送システムに係り、特に、各種の音源からのオーディオ信号を入力することができ、さらに前記オーディオ信号を無線方式によって遠端に伝送する多種音源無線伝送システムに関わる。
【背景技術】
【０００２】
世の中の各種電子製品、例えばＣＤプレーヤー、ＭＰ３プレーヤー、ＴＶ、チューナー、ＤＶＤプレーヤー、ＶＣＤプレーヤー、ステレオ等から出力されるオーディオ信号は全てケーブルによってスピーカーまたはヘッドホンと接続されており、使用者はそのサウンドを聞くものであるが、上述の有線方式によってオーディオ信号を伝送する場合、下記のような欠点が存在する。
【０００３】
１  一般の電子製品は無線伝送機能を有しておらず、オーディオ信号は有線方式によって伝送され、そのために使用者は遠距離において品質の優れたサウンドを聞くことができない。
２  有線方式によるオーディオ信号の伝送は、距離の制限を受け易く、ケーブルが長距離になった場合、信号の減衰が容易に発生してしまう。
３  有線方式によるオーディオ信号の伝送は、施工時に比較的時間と労力が掛かってしまう。
【０００４】
このことから分かるように、上述の電子製品のオーディオ信号の伝送方式には種々の欠点と不足が存在しており、完全に優れた設計ではなく、早急な改良が必要である。
【０００５】
本発明の発明者は上述の電子製品のオーディオ信号の伝送方式において発生する種々の欠点と不足を鑑み、多年に渡る研究の末、ついに多種音源無線伝送システムを完成させた。
【発明の開示】
【発明が解決しようとする課題】
【０００６】
本発明の目的は、伝送モジュールから無線伝送方式によって、入力されたオーディオ信号を遠端の受信モジュールが設けられている電子製品に伝送する多種音源無線伝送システムを提供することである。
【０００７】
本発明の次の目的は、使用者が遠距離においても比較的品質に優れたサウンドを聞くことができ、信号の減衰が発生しない多種音源無線伝送システムを提供することである。
【０００８】
本発明のもう一つの目的は、素早く組立てができ、施工が容易にできる等の優れた点を有する多種音源無線伝送システムを提供することである。
【課題を解決するための手段】
【０００９】
上述の目的を解決するために、本発明は多種音源無線伝送システムであり、
ＵＳＢケーブルによってオーディオ信号をノートパソコンから出力させた後、伝送モジュールからオーディオ信号を無線伝送方式（ＲＦ技術、或いはＢｌｕｅｔｏｏｔｈ技術）によって遠端の受信モジュールが設けられている電子製品に伝送するものであり、本発明はその他にオーディオケーブルを外接することができ、各種の電子製品（ＣＤプレーヤー、ＭＰ３プレーヤー、ＴＶ、チューナー、ＤＶＤプレーヤー、ＶＣＤプレーヤー、ステレオ、各種コンピュータ等）のオーディオ信号を本発明のシステムに入力し、本発明のシステムによってオーディオを無線方式によって遠端に伝送することができるものである。
【発明の効果】
【００１０】
１  本発明の多種音源無線伝送システムは、伝送モジュールから無線伝送方式によって入力されたオーディオ信号を遠端の受信モジュールが設けられている電子製品に伝送するもので、使用者は遠距離においても比較的優れた品質のサウンドを聞くことができる。
２  本発明の多種音源無線伝送システムは、ＲＦ技術、或いはＢｌｕｅｔｏｏｔｈ技術によって遠端への伝送を行うものである。
３  本発明の多種音源無線伝送システムは、ＵＳＢケーブル、またはオーディオケーブルを選択してオーディオ信号を入力することができ、そのためにＣＤプレーヤー、ＭＰ３プレーヤー、ＴＶ、チューナー、ＤＶＤプレーヤー、ＶＣＤプレーヤー、ステレオ等の電子製品から出力されるオーディオ信号を受信するだけでなく、デスクトップパソコン、ノートパソコン、ＰＤＡ等の製品から出力されるオーディオ信号も受信することができる。
４  本発明の多種音源無線伝送システムは、遠距離の伝送においても信号の減衰が発生しにくい。
５  本発明の多種音源無線伝送システムは、素早く組立てることができ、施工も容易である等の優れた点を有する。
【発明を実施するための最良の形態】
【００１１】
図１、２、３は本発明の多種音源無線伝送システムの第１の実施例を示す図であり、図から分かるように、本発明の多種音源無線伝送システム１は、ＵＳＢコネクタ１２を有しており、直接ノートパソコン３に接続することができ、さらにオーディオ信号を直接伝送モジュール１１から無線伝送方式（例えばＲＦ技術、或いはＢｌｕｅｔｏｏｔｈ技術）によって遠端の受信モジュール４１が設けられたヘッドセットタイプヘッドホン４に伝送し、図１に示すように、使用者７はヘッドセットタイプヘッドホン４を付けるだけで遠端においてサウンドを聞くことができ、図２に示すように、前記受信モジュール４１は腰装着式に設計することができ、使用者７は腰に装着し、インナータイプヘッドホン５によってサウンドを聞くことができ、図３に示すように、前記受信モジュール４１はＭＰ３プレーヤー６内に設置することができ、使用者７は首に掛け、インナータイプヘッドホン５によってサウンドを聞くことができる。
【００１２】
図４、５、６は本発明の多種音源無線伝送システムの第２の実施例を示す図であり、図から分かるように、本発明の多種音源無線伝送システム１は、ＵＳＢケーブル２１によってオーディオ信号をノートパソコン３から入力し、さらにオーディオ信号を直接伝送モジュール１１から無線伝送方式（例えばＲＦ技術、或いはＢｌｕｅｔｏｏｔｈ技術）によって遠端の受信モジュール４１が設けられたヘッドセットタイプヘッドホン４に伝送し、図４に示すように、使用者７はヘッドセットタイプヘッドホン４を付けるだけで遠端においてサウンドを聞くことができ、図５に示すように、前記受信モジュール４１は腰装着式に設計することができ、使用者７は腰に装着し、インナータイプヘッドホン５によってサウンドを聞くことができ、図６に示すように、前記受信モジュール４１はＭＰ３プレーヤー６内に設置することができ、使用者７は首に掛け、インナータイプヘッドホン５によってサウンドを聞くことができる。
【００１３】
図７、８、９は本発明の多種音源無線伝送システムの第３の実施例を示す図であり、図から分かるように、ＵＳＢケーブル２１によってオーディオ信号をノートパソコン３から入力するか、或いは、オーディオケーブル２２を外接して各種の電子製品（例えばＣＤプレーヤー、ＭＰ３プレーヤー、ＴＶ、チューナー、ＤＶＤプレーヤー、ＶＣＤプレーヤー、ステレオ、各種コンピュータ等）からのオーディオ信号を入力することができ、さらに入力されたオーディオ信号を直接伝送モジュール１１から無線伝送方式によって遠端の受信モジュール４１が設けられたヘッドセットタイプヘッドホン４に伝送し、図７に示すように、使用者７はヘッドセットタイプヘッドホン４を付けるだけで遠端においてサウンドを聞くことができ、図８に示すように、前記受信モジュール４１は腰装着式に設計することができ、使用者７は腰に装着し、インナータイプヘッドホン５によってサウンドを聞くことができ、図９に示すように、前記受信モジュール４１はＭＰ３プレーヤー６内に設置することができ、使用者７は首に掛け、インナータイプヘッドホン５によってサウンドを聞くことができる。
【００１４】
本発明の多種音源無線伝送システム１は、電源を電池によって供給するか、或いは外接電源によって供給するかの選択をすることができる。
【００１５】
本発明の進歩性と実用性をさらに明らかにするために、公知構造のものとの比較分析を下記に示す。
【００１６】
公知技術の欠点。
１  一般の電子製品は無線伝送機能を有しておらず、オーディオ信号は有線方式によって伝送され、そのために使用者は遠距離において品質の優れたサウンドを聞くことができない。
２  有線方式によるオーディオ信号の伝送は、距離の制限を受け易く、ケーブルが長距離になった場合、信号の減衰を容易にもたらしてしまう。
３  有線方式によるオーディオ信号の伝送は、施工時に比較的時間と労力が掛かってしまう。
【００１７】
本発明の優れている点。
１  本発明の多種音源無線伝送システムは、伝送モジュールから無線伝送方式によって入力されたオーディオ信号を遠端の受信モジュールが設けられている電子製品に伝送するもので、使用者は遠距離においても比較的優れた品質のサウンドを聞くことができる。
２  本発明の多種音源無線伝送システムは、ＲＦ技術、或いはＢｌｕｅｔｏｏｔｈ技術によって遠端への伝送を行うものである。
３  本発明の多種音源無線伝送システムは、ＵＳＢケーブル、またはオーディオケーブルを選択してオーディオ信号を入力することができ、そのためにＣＤプレーヤー、ＭＰ３プレーヤー、ＴＶ、チューナー、ＤＶＤプレーヤー、ＶＣＤプレーヤー、ステレオ等の電子製品から出力されるオーディオ信号を受信するだけでなく、デスクトップパソコン、ノートパソコン、ＰＤＡ等の製品から出力されるオーディオ信号も受信することができる。
４  本発明の多種音源無線伝送システムは、遠距離の伝送においても信号の減衰が発生しにくい。
５  本発明の多種音源無線伝送システムは、素早く組立てることができ、施工も容易である等の優れた点を有する。
【００１８】
上述の詳細な説明は、本発明の実施可能な実施例を具体的に説明してものであるが、前記実施例は本発明の範囲を制限するものではなく、本発明の技術精神を脱しない同等効果の実施または変更は全て本発明の範囲に含まれる。
【００１９】
本案は技術思想上確実に新規性を有するだけではなく、公知構造のものと比べても上述のように進歩性を有するものであり、十分に法で定められた特許請求の要件に符合するものであり、法に基づき申請を行う。
【図面の簡単な説明】
【００２０】
【図１】本発明の多種音源無線伝送システムの第１の実施例を示す図である。
【図２】本発明の多種音源無線伝送システムの第１の実施例を示す図である。
【図３】本発明の多種音源無線伝送システムの第１の実施例を示す図である。
【図４】本発明の多種音源無線伝送システムの第２の実施例を示す図である。
【図５】本発明の多種音源無線伝送システムの第２の実施例を示す図である。
【図６】本発明の多種音源無線伝送システムの第２の実施例を示す図である。
【図７】本発明の多種音源無線伝送システムの第３の実施例を示す図である。
【図８】本発明の多種音源無線伝送システムの第３の実施例を示す図である。
【図９】本発明の多種音源無線伝送システムの第３の実施例を示す図である。
【符号の説明】
【００２１】
１        多種音源無線伝送システム
１１      伝送モジュール
１２      ＵＳＢコネクタ
２１      ＵＳＢケーブル
２２      オーディオケーブル
３        ノートパソコン
４        オーバーヘッドタイプヘッドホン
４１      受信モジュール
５        インナーイヤータイプヘッドホン
６        ＭＰ３プレーヤー
７        使用者
【図１】
2006013906.tif 000003
【図２】
2006013906.tif 000004
【図３】
2006013906.tif 000005
【図４】
2006013906.tif 000006
【図５】
2006013906.tif 000007
【図６】
2006013906.tif 000008
【図７】
2006013906.tif 000009
【図８】
2006013906.tif 000010
【図９】
2006013906.tif 000011